(57)【特許請求の範囲】
【請求項１】
投影表示装置と接続される画像データ記憶装置であって、  画像データを記憶する第１の記憶手段と、  前記第１の記憶手段に記憶された画像データに対して投影表示に関する調整を行う画像データ調整手段と、
前記画像データ調整手段に対して前記調整を指示する操作部と、
前記第１の記憶手段に記憶された画像データに対して前記画像データ調整手段による前記調整を行わないで前記投影表示装置に出力する第１のモードと前記第１の記憶手段に記憶された画像データに対して前記画像データ調整手段による前記調整を行って前記投影表示装置に出力する第２モードとのうちいずれかを選択するための選択画面を表示する表示手段と、  
前記表示手段に表示された前記選択画面で前記第２のモードが選択された場合、前記第１の記憶手段に記憶された画像データに対して前記画像データ調整手段による前記調整を行った画像データを記憶する第２の記憶手段と、
を備えることを特徴とする画像データ記憶装置。
【請求項２】
前記第２の記憶手段に記憶された画像データを前記投影表示装置に出力する出力手段をさらに備えることを特徴とする請求項１に記載の画像データ記憶装置。
【請求項３】
前記画像データ調整手段は、前記第１の記憶手段に記憶された画像データの台形補正を行うことを特徴とする請求項１または請求項２に記載の画像データ記憶装置。
【請求項４】
前記画像データ調整手段は、前記第１の記憶手段に記憶された画像データに対して解像度変換処理を施すことを特徴とする請求項１から請求項３のいずれか一項に記載の画像データ記憶装置。
【請求項５】
前記画像データ調整手段は、前記第１の記憶手段に記憶された画像データに対して明度調整処理を施すことを特徴とする請求項１から請求項４のいずれか一項に記載の画像データ記憶装置。
【請求項６】
前記画像データ調整手段は、前記第１の記憶手段に記憶された画像データに対して彩度調整処理を施すことを特徴とする請求項１から請求項５のいずれか一項に記載の画像データ記憶装置。
【請求項７】
前記画像データ調整手段は、前記第１の記憶手段に記憶された画像データに対してコントラスト調整処理を施すことを特徴とする請求項１から請求項６のいずれか一項に記載の画像データ記憶装置。
【請求項８】
前記画像データ調整手段は、前記第１の記憶手段に記憶された画像データに対して輪郭強調処理を施すことを特徴とする請求項１から請求項７のいずれか一項に記載の画像データ記憶装置。
【請求項９】
前記画像データ記憶装置は、デジタルカメラであることを特徴とする請求項１から請求項８のいずれか一項に記載の画像データ記憶装置。
【請求項１０】
画像データを記憶する第１の記憶手段と、  前記第１の記憶手段に記憶された画像データに対して投影表示に関する調整を行う画像データ調整手段と、
前記画像データ調整手段に対して前記調整を指示する操作部と、
前記第１の記憶手段に記憶された画像データに対して前記画像データ調整手段による前記調整を行わないで前記投影表示装置に出力する第１のモードと前記第１の記憶手段に記憶された画像データに対して前記画像データ調整手段による前記調整を行って前記投影表示装置に出力する第２モードとのうちいずれかを選択するための選択画面を表示する表示手段と、  
前記表示手段に表示された前記選択画面で前記第１のモードが選択された場合、前記第１の記憶手段に記憶された画像データに対して前記画像データ調整手段による前記調整が行われていない画像データを出力し、前記表示手段に表示された前記選択画面で前記第２のモードが選択された場合、前記第１の記憶手段に記憶された画像データに対して前記画像データ調整手段による前記調整が行われた画像データを出力する出力手段と、
前記第１の記憶手段に記憶された画像データに対して前記画像データ調整手段による前記調整を行った画像データを記憶する第２の記憶手段と、を有する画像データ記憶装置と、
前記出力手段により出力された画像データを入力する入力手段と、  前記入力手段により入力された画像データを投影表示する投影表示手段と、を有する投影表示装置と、を備えることを特徴とする画像表示システム。
【請求項１１】
前記画像データ調整手段は、前記第１の記憶手段により記憶された画像データの台形補正を行うことを特徴とする請求項１０に記載の画像表示システム。
【請求項１２】
前記画像データ調整手段は、前記第１の記憶手段に記憶された画像データに対して解像度変換処理を施すことを特徴とする請求項１０または請求項１１に記載の画像表示システム。
【請求項１３】
前記画像データ調整手段は、前記第１の記憶手段に記憶された画像データに対して明度調整処理を施すことを特徴とする請求項１０から請求項１２のいずれか一項に記載の画像表示システム。
【請求項１４】
前記画像データ調整手段は、前記第１の記憶手段に記憶された画像データに対して彩度調整処理を施すことを特徴とする請求項１０から請求項１３のいずれか一項に記載の画像表示システム。
【請求項１５】
前記画像データ調整手段は、前記第１の記憶手段に記憶された画像データに対してコントラスト調整処理を施すことを特徴とする請求項１０から請求項１４のいずれか一項に記載の画像表示システム。
【請求項１６】
前記画像データ調整手段は、前記第１の記憶手段に記憶された画像データに対して輪郭強調処理を施すことを特徴とする請求項１０から請求項１５のいずれか一項に記載の画像表示システム。
【請求項１７】
前記画像データ記憶装置は、デジタルカメラであることを特徴とする請求項１０から請求項１６のいずれか一項に記載の画像表示システム。
【発明の詳細な説明】
【技術分野】
【０００１】
本発明は、画像記憶装置および画像表示システムに関する。
【背景技術】
【０００２】
カメラとプロジェクタとから構成される画像表示システムとして、カメラの操作部材を
使用して、プロジェクタによって投影表示されている画像の調整を行う画像表示システムが知られている。特許文献１参照。
【先行技術文献】
【特許文献】
【０００３】
【特許文献１】特開２００８−７９０７０号公報
【発明の概要】
【発明が解決しようとする課題】
【０００４】
しかしながら、上記の従来技術にかかる画像表示システムでは、投影画像の調整において、カメラの操作部材を使用していても、投影画像の調整自体はプロジェクタに内蔵された画像処理手段により行われる。従って、カメラのアクセサリとして用いるような小型プロジェクタに投影画像の調整を行う画像処理手段を設けることは、コストの観点から容易ではないという問題があった。
【課題を解決するための手段】
【０００５】
請求項１に記載の発明により画像データ記憶装置は、投影表示装置と接続される画像データ記憶装置であって、画像データを記憶する第1の記憶手段と、前記第1の記憶手段に記憶された画像データに対して投影表示に関する調整を行う画像データ調整手段と、前記画像データ調整手段に対して前記調整を指示する操作部と、前記第１の記憶手段に記憶された画像データに対して前記画像データ調整手段による前記調整を行わないで前記投影表示装置に出力する第１のモードと前記第１の記憶手段に記憶された画像データに対して前記画像データ調整手段による前記調整を行って前記投影表示装置に出力する第２モードとのうちいずれかを選択するための選択画面を表示する表示手段と、前記表示手段に表示された前記選択画面で前記第２のモードが選択された場合、前記第１の記憶手段に記憶された画像データに対して前記画像データ調整手段による前記調整を行った画像データを記憶する第２の記憶手段と、を備えることを特徴とする。
【０００６】
請求項１０に記載の画像表示システムは、画像データを記憶する第１の記憶手段と、前記第１の記憶手段に記憶された画像データに対して投影表示に関する調整を行う画像データ調整手段と、前記画像データ調整手段に対して前記調整を指示する操作部と、前記第１の記憶手段に記憶された画像データに対して前記画像データ調整手段による前記調整を行わないで前記投影表示装置に出力する第１のモードと前記第１の記憶手段に記憶された画像データに対して前記画像データ調整手段による前記調整を行って前記投影表示装置に出力する第２モードとのうちいずれかを選択するための選択画面を表示する表示手段と、前記表示手段に表示された前記選択画面で前記第１のモードが選択された場合、前記第１の記憶手段に記憶された画像データに対して前記画像データ調整手段による前記調整が行われていない画像データを出力し、前記表示手段に表示された前記選択画面で前記第２のモードが選択された場合、前記第１の記憶手段に記憶された画像データに対して前記画像データ調整手段による前記調整が行われた画像データを出力する出力手段と、前記第１の記憶手段に記憶された画像データに対して前記画像データ調整手段による前記調整を行った画像データを記憶する第２の記憶手段と、を有する画像データ記憶装置と、前記出力手段により出力された画像データを入力する入力手段と、前記入力手段により入力された画像データを投影表示する投影表示手段と、を有する投影表示装置と、を備えることを特徴とする。
【発明の効果】
【０００７】
本発明によれば、プロジェクタで画像データを調整する必要がなくなるため、プロジェクタのコストダウンを図ることができる。
【図面の簡単な説明】
【０００８】
【図１】本発明にかかる画像表示システム１の外観図である。
【図２】デジタルカメラ１００の構成を示すブロック図である。
【図３】プロジェクタ２００の構成を示すブロック図である。
【図４】プロジェクタ２００の投射光学系を示す図である。
【図５】プロジェクタ出力モードの切り替え画面を示す図である。
【図６】メニュー設定の構成を示す図である。
【図７】画像処理動作を示すフローチャートである。
【発明を実施するための形態】
【０００９】
以下、本発明の実施形態にかかる画像表示システム１について、図面を参照しながら詳細に説明する。
図１は、画像表示システム１の外観図である。図１に示すように、画像表示システム１は、デジタルカメラ１００とプロジェクタ２００とを備え、各々に設けられた通信インターフェースをビデオケーブル５０等で接続して通信可能に構成されている。デジタルカメラ１００は、カメラ筐体正面部に撮影レンズ１７０、カメラ筐体背面部等に操作部材１４０、表示部１３０を備え、カメラ筐体の側面部には、プロジェクタ２００に画像データを出力すべくビデオケーブル５０に接続する出力端子が設けられている。
プロジェクタ２００は、金属やプラスチック等の合成樹脂からなるプロジェクタ筐体を備え、側面部には、電源のオン／オフを行う操作部２１０、デジタルカメラ１００から画像データを入力する入力端子が設けられている。また、プロジェクタ筐体の前面部には、光学像を投射するための投射口が形成され、デジタルカメラ１００から出力された画像データに基づく光学像を投影面に投射する。
【００１０】
図２は、デジタルカメラ１００の構成を示すブロック図である。図２に示すように、デジタルカメラ１００は、撮像部１１０、記憶部１２０、表示部１３０、操作部１４０、カメラ制御部１５０および通信部１６０により構成される。
【００１１】
撮像部１１０は、ズームレンズやフォーカスレンズ等を備えた複数のレンズで構成され、被写体からの光を集光して光電変換部に結像させる撮影レンズ、ＣＣＤやＣＭＯＳ等で構成され、撮影レンズによって結像された光を電気信号に変換する光電変換素子、光電変換素子によって変換された電気信号をデジタル信号に変換するＡ／Ｄ変換部等を備え、被写体像に基づいて画像データを生成する。また、撮像部１１０は、生成された画像データをカメラ制御部１５０に出力する。
【００１２】
記憶部１２０は、不揮発性メモリ等で構成され、カメラ制御部１５０から出力された画像データを記憶する。
表示部１３０は、液晶ディスプレイ等で構成され、デジタルカメラ１００のカメラ筐体背面部に設けられている（図１）。表示部１３０は、記憶部１２０に記憶された画像データに基づく画像やメニュー画面を液晶ディスプレイに表示する。
操作部１４０は、電源のオン／オフ、撮像モード／再生モード／プロジェクタ出力モードのモード切り替え、各種選択／決定および調節等を行う操作スイッチや操作キー等の操作部材で構成され、デジタルカメラ１００のカメラ筐体背面や上面に設けられる。操作入力が行われた場合、操作部１４０は、当該操作入力に応じた操作信号をカメラ制御部１５０に出力する。
【００１３】
カメラ制御部１５０は、ＣＰＵ等により構成される。カメラ制御部１５０は、撮像部１１０によって生成された画像データが入力されると、データ圧縮等の画像処理を施して記憶部１２０に出力する。また、操作部１４０から操作信号が入力されると、当該操作入力に応じて記憶部１２０に記憶された画像データを読み出して、解像度変換、台形補正、明度調整、彩度調整、コントラスト調整、輪郭強調等の画像データの調整や各種選択／決定等の操作を実行する。
通信部１６０は、ビデオケーブル５０等と接続するための接続端子で構成され、記憶部１２０に記憶された画像データをプロジェクタ２００に出力する。
【００１４】
図３は、プロジェクタ２００の構成を示すブロック図である。図３に示すように、プロジェクタ２００は、操作部２１０、投射部２２０、表示素子駆動部２３０、プロジェクタ制御部２４０および通信部２５０により構成される。
【００１５】
操作部２１０は、プロジェクタ筐体の側面に設けられ、電源のオン／オフを制御する制御信号をプロジェクタ制御部２４０に出力する。ここで、プロジェクタ２００は、後述するように、プロジェクタ内部で台形補正や解像度変換、明度、コントラスト調整等のような投影された画像の画像データ調整を行う必要がないので、それらに対応する操作部材は設けられていない。
【００１６】
通信部２５０は、ビデオケーブル５０等と接続するための接続端子で構成され、プロジェクタ筐体の側面に設けられている。通信部２５０は、ビデオケーブル５０等によりデジタルカメラ１００の通信部１６０と接続されると、デジタルカメラ１００から画像データが入力される。また、通信部２５０は、入力された画像データをプロジェクタ制御部２４０に出力する。
表示素子駆動部２３０は、プロジェクタ制御部２４０から画像データが入力されると、当該画像データに応じた光学像を形成するように表示素子を駆動する信号を投射部２２０に出力する。
【００１７】
プロジェクタ制御部２４０は、通信部２５０から出力された画像データが入力されると、表示素子駆動部２３０が読み込める形式に画像データを変換する。例えば、コンポジットビデオ信号の場合、通信部２５０からは、アナログ信号が出力され、プロジェクタ制御部２４０によりデジタル信号にデコードされる。また、操作部２１０から操作信号を入力した場合、電源起動信号を出力し、プロジェクタ２００を投影スタンバイ状態にする。
【００１８】
図４は、プロジェクタ２００の投射部２２０の光学系を示す図である。図４に示すように、投射部２２０は、ＬＥＤ光源３００、集光レンズ３１０、偏光ビームスプリッタ３２０、ＬＣＯＳ３３０、投射レンズ３４０により構成されている。
ＬＥＤ光源３００から射出された光は、集光レンズ３１０により平行光にされ、偏光ビームスプリッタ３２０に入射する。偏光ビームスプリッタ３２０に入射した光のうち、Ｓ偏光成分の光は、光分割面３２０ａで反射してＬＣＯＳ３３０に入射する。一方、Ｐ偏光成分の光は、光分割面３２０ａを透過し、投射部２２０の外部へ放出される。ＬＣＯＳ３３０は、入射したＳ偏光成分の光を表示素子駆動部２３０から出力された駆動信号に基づいて変調する。ＬＣＯＳ３３０によって変調されたＰ偏光成分の光は、偏光ビームスプリッタ３２０の光分割面３２０ａを透過して投射レンズ３４０に入射し、投射口を介して投影面に向かって拡大投影される。
ＬＣＯＳ３３０は、シリコン基板上に直接液晶が載せられており、それを覆うアルミニウム層等が高い反射率を有する。
【００１９】
次に、画像表示システム１の使用方法および画像表示システム１の動作について説明する。
まず、デジタルカメラ１００を用いて被写体の撮影を行う場合、デジタルカメラ１００における操作部１４０のモード切り替えスイッチを操作して撮像モードを選択する。
次に、ユーザによるシャッターボタンの操作により、撮像部１１０において、被写体からの光が撮影レンズによって集光され、光電変換、アナログ信号−デジタル信号変換を経て、画像データが生成される。生成された画像データは、撮像部１１０からカメラ制御部１５０に出力される。カメラ制御部１５０は、撮像部１１０により生成された画像データが入力されると、データ圧縮等の画像処理を施して記憶部１２０に出力する。記憶部１２０は、カメラ制御部１５０から画像データが入力されると、当該画像データを記憶する。記憶部１２０に記憶された画像データは、カメラ制御部１５０を介して表示部１３０に出力され、画像データに応じた画像が液晶ディスプレイに表示される。撮像を引き続き行う場合は、上記の操作を繰り返して実行する。
【００２０】
プロジェクタ２００を用いて、デジタルカメラ１００の記憶部１２０に記憶された画像データに基づく画像を投影表示させる場合は、まず、デジタルカメラ１００の通信部１６０とプロジェクタ２００の通信部２５０とをビデオケーブル５０等によって接続させる。
次に、デジタルカメラ１００の操作部１４０におけるモード切り替えスイッチを操作することにより、再生モードを選択する。カメラ制御部１５０は、記憶部１２０に記憶された画像データから選択された画像データ（以下、画像データＧという。）を読み出す処理を実行し、画像データＧに応じた画像を表示部１３０の液晶ディスプレイに表示する。続いて、操作部１４０のモード切り替えスイッチを操作してプロジェクタ出力モードに切り替える。または，図５に示すように、表示部１３０の液晶ディスプレイにモード選択画面を表示して、プロジェクタ出力を「する」を選択してプロジェクタ出力モードに切り替える。上記操作を行うことにより、カメラ制御部１５０は画像データＧを通信部１６０からプロジェクタ２００に出力する。
【００２１】
プロジェクタ２００の通信部２５０は、デジタルカメラ１００から画像データが入力されると、プロジェクタ制御部２４０に出力する。プロジェクタ制御部２４０は、通信部２５０から画像データＧが入力されると、表示素子駆動部２３０が読み込める形式に変換して表示素子駆動部２３０に出力する。
表示素子駆動部２３０は、画像データＧに応じた光学像を形成するようにＬＣＯＳ３３０を駆動する信号を投射部２２０に出力する。
投射部２２０は、表示素子駆動部２３０から出力された駆動信号に基づいてＬＣＯＳ３３０を駆動し、ＬＥＤ光源３００から射出された光を変調して投影面に画像データＧに応じた光学像を投影する。
【００２２】
次に、プロジェクタ２００により投影表示されている画像の調整について説明する。
図６は画像調整を行うメニュー設定画面の構成を示す図である。図６におけるビデオ出力設定は、デジタルカメラ１００から出力されるビデオ信号をＮＴＳＣ方式またはＰＡＬ方式のうちどちらで出力するかの選択を行う。デジタルカメラ１００の記憶部１２０に記憶された画像データをＮＴＳＣ方式で出力したい場合は、ビデオ出力設定においてＮＴＳＣを選択する。一方、ＰＡＬ方式で出力したい場合は、ビデオ出力設定においてＰＡＬを選択する。
【００２３】
プロジェクタ出力設定は、ビデオ出力をデジタルカメラ１００の記憶部１２０に記憶された画像データを調整しないで出力するか、または、画像データを調整して出力するかの選択を行う。例えば、デジタルカメラ１００の記憶部１２０に記憶された画像データをそのままプロジェクタ２００によって投影表示したい場合は、プロジェクタ出力設定において「無効」を選択する。一方、デジタルカメラ１００の記憶部１２０に記憶された画像データを台形補正等の調整をした画像データをプロジェクタ２００によって投影表示したい場合は、プロジェクタ出力設定において、「有効」を選択する。
【００２４】
次に、プロジェクタ設定における解像度変換、台形補正、明度、コントラスト等の画像調整におけるカメラ制御部１５０の動作について図７に示すフローチャートを用いて説明する。
デジタルカメラ１００の記憶部１２０に記憶された画像データをどのように調整するかは、プロジェクタ設定の項目の中から選択して行う。
【００２５】
例えば、プロジェクタ２００による投影画像が台形となっているときは、ユーザの操作により、デジタルカメラ１００の表示部１３０の液晶ディスプレイおよび投影面にメニュー設定画面から「プロジェクタ設定」を選択し、表示する（Ｓ００１）。
次に、Ｓ００２において、ユーザの操作により「プロジェクタ設定」の項目から「台形補正」が選択されると、操作部１４０は、操作信号をカメラ制御部１５０に出力する。カメラ制御部１５０は、操作信号が入力される毎に投影している画像の画像データに対して所定の補正量で台形補正を実行する（Ｓ００３）。次に、カメラ制御部１５０は、補正後の画像データを通信部１６０からプロジェクタ２００に出力する（Ｓ００４）。プロジェクタ２００は、カメラ１００から入力された補正後の画像データに基づく画像を投影面に投影する。Ｓ００５において、カメラ制御部１５０は、ユーザが操作部１４０の操作部材を操作することにより台形補正がなされ、所望の投影画像が得られた場合、当該台形補正された画像データ（以下、画像データＧ'という）を、記憶部１２０に記憶する（Ｓ００６）。一方、Ｓ００５において、ユーザによる台形補正操作の補正量が適当でなく、所望の投影画像が得られていない場合は、操作部１４０の操作部材により所望の投影画像が得られるまで台形補正操作を繰り返し行う。
【００２６】
プロジェクタ制御部２４０は、画像データＧ'が通信部２５０から入力されると、表示素子駆動部２３０が読み込める形式にデータ変換し、表示素子駆動部２３０に出力する。
表示素子駆動部２３０は、画像データＧ'に応じた光学像を形成するようにＬＣＯＳ３３０を駆動する駆動信号を投射部２２０に出力する。
投射部２２０は、表示素子駆動部２３０から出力された駆動信号に基づいてＬＣＯＳ３３０を駆動し、ＬＥＤ光源３００から射出された光を変調して投影面に画像データＧに応じた光学像を投影する。
【００２７】
以上説明したように、本実施形態によれば、カメラに内蔵された画像データ調整手段を用いてプロジェクタにより投影表示されている画像の調整を行うため、プロジェクタに画像調整に用いる画像処理部を設ける必要がなくなる。したがって、プロジェクタのコストダウンおよび小型化を図ることができる。
【００２８】
また、上記の本発明にかかる実施形態では、デジタルカメラ１００の通信部１６０とプロジェクタ２００の通信部２５０とがビデオケーブル５０等により接続されることで、デジタルカメラ１００からプロジェクタ２００に画像データが出力されるとしたが、当該接続は、ＵＳＢケーブルやＨＤＭＩケーブル等で行うとしてもよい。
【００２９】
また、上記の本発明にかかる実施形態では、デジタルカメラ１００の通信部１６０とプロジェクタ２００の通信部２５０とがビデオケーブル５０等により接続されることで、デジタルカメラ１００からプロジェクタ２００に画像データが出力されるとしたが、当該接続は、無線で行うとしてもよい。
【００３０】
また、上記の本発明にかかる実施形態では、デジタルカメラ１００からプロジェクタ２００に画像データを出力する場合、操作部１４０の操作部材を操作することにより、プロジェクタ出力モードに切り替えるとしたが、デジタルカメラ１００の通信部１６０とプロジェクタ２００の通信部２５０とがビデオケーブル５０等により接続されると、自動的にプロジェクタ出力モードに切り替えて、デジタルカメラ１００からプロジェクタ２００に画像データを出力するとしてもよい。
【００３１】
また、上記の本発明にかかる実施形態では、デジタルカメラ１００の通信部１６０とプロジェクタ２００の通信部２５０とがビデオケーブル５０等により接続されることで、デジタルカメラ１００からプロジェクタ２００に画像データが出力されるとしたが、デジタルカメラ１００のカメラ筐体上面部にプロジェクタ２００を取り付けるための取り付け部を設けて、取り付け部を介してデジタルカメラ１００とプロジェクタ２００とを電気的に接続させるようにしてもよい。かかる場合、デジタルカメラ１００に設けられる加速度センサ等によって、デジタルカメラ１００の傾きを検出し、当該検出結果とデジタルカメラ１００からプロジェクタ２００の高さに基づいて、台形補正に用いる補正量を算出することができる。カメラ制御部１５０は、当該補正量に基づいて画像データの台形補正を行い、補正された画像データをプロジェクタ２００に出力する。
【００３２】
また、上記の本発明にかかる実施形態では、デジタルカメラ１００からプロジェクタ２００に画像データを出力する場合、操作部１４０の操作部材を操作することにより、プロジェクタ出力モードに切り替えるとしたが、図６に示すメニュー設定画面において、プロジェクタ設定の項目を選択すると、自動的にプロジェクタ出力モードに切り替えて、デジタルカメラ１００からプロジェクタ２００に画像データを出力するとしてもよい。
【００３３】
また、上記の本発明にかかる実施形態では、デジタルカメラ１００からプロジェクタ２００に画像データを出力する場合、操作部１４０の操作部材を操作することにより、プロジェクタ出力モードに切り替えるとしたが、ユーザの選択操作により、画像データＧ'が表示部１３０に表示されると、自動的にプロジェクタ出力モードに切り替えて、デジタルカメラ１００からプロジェクタ２００に画像データを出力するとしてもよい。
【００３４】
また、上記の本発明にかかる実施形態では、プロジェクタ２００の光源としてＬＥＤを用いたが、ＬＥＤに替えて例えば、ハロゲンランプやＨＩＤランプ、レーザでも良い。
また、ＬＥＤ光源から射出された光を光変調する表示素子としてＬＣＯＳを用いたが、ＬＣＯＳに替えて例えば、透過型液晶素子（ＬＣＤ）や集積回路上に可動式の微小ミラーを敷き詰めて形成したＤＭＤを用いたＤＬＰ方式の投影表示装置を用いることもできる。
【符号の説明】
【００３５】
１        画像表示システム              ５０      ビデオケーブル
１００    デジタルカメラ                １１０    撮像部
１２０    記憶部                        １３０    表示部
１４０    操作部                        １５０    カメラ制御部
１６０    通信部                        １７０    撮影レンズ
２００    プロジェクタ                  ２１０    操作部
２２０    投射部                        ２３０    表示素子駆動部
２４０    プロジェクタ制御部            ２５０    通信部
３００    ＬＥＤ光源部                  ３１０    集光レンズ
３２０    偏光ビームスプリッタ          ３２０ａ  光分割面
３３０    ＬＣＯＳ                      ３４０    投射レンズ
【図１】
0005573360.tif 000002
【図２】
0005573360.tif 000003
【図３】
0005573360.tif 000004
【図４】
0005573360.tif 000005
【図５】
0005573360.tif 000006
【図６】
0005573360.tif 000007
【図７】
0005573360.tif 000008